(57)【要約】【課題】多彩なイルミネーションを実現しつつ部品の数を削減することができる電子機器用筐体アセンブリおよび電子機器を提供する。【解決手段】光源４３から出力される光は第１筐体２９の外部空間に向かって漏れ出る。こうして第１筐体２９で多彩なイルミネーションが実現される。漏れ出た光は第２導光板３８に入射する。第２導光板３８は第１導光板３６に光を導く。第１導光板３６は背後から液晶ディスプレイパネル２６の画面を照らす。こうして第１筐体２９で確立されるイルミネーションの光が液晶ディスプレイパネル２６の画面に利用される。部品の数は削減される。【選択図】図６
2009231910.tif 000002
【特許請求の範囲】
【請求項１】
第１筐体と、
前記第１筐体に組み込まれて、前記第１筐体の外部空間に向かって光を出力する光源と、
前記第１筐体に連結される第２筐体と、
前記第２筐体に形成される窓孔と、
前記第２筐体に組み込まれて、前記窓孔に画面を向き合わせる液晶ディスプレイパネルと、
前記第２筐体に組み込まれて、背後から液晶ディスプレイパネルの画面を照らす第１導光板と、
前記第２筐体に組み込まれて、前記光源から出力される光を前記第１導光板に導く第２導光板とを備えることを特徴とする電子機器用筐体アセンブリ。
【請求項２】
請求項１に記載の電子機器用筐体アセンブリにおいて、前記第１導光板は前記第２導光板に一体化されることを特徴とする電子機器用筐体アセンブリ。
【請求項３】
第１筐体と、前記第１筐体に組み込まれて、前記第１筐体の外部空間に向かって光を出力する光源と、前記第１筐体に連結される第２筐体と、前記第２筐体に形成される窓孔と、前記第２筐体に組み込まれて、前記窓孔に画面を向き合わせる液晶ディスプレイパネルと、前記第２筐体に組み込まれて、背後から液晶ディスプレイパネルの画面を照らす第１導光板と、前記第２筐体に組み込まれて、前記光源から出力される光を前記第１導光板に導く第２導光板とを備えることを特徴とする電子機器。
【発明の詳細な説明】
【技術分野】
【０００１】
本発明は、例えば液晶ディスプレイパネルを備える電子機器に関する。
【背景技術】
【０００２】
例えば携帯電話端末装置はディスプレイ用筐体を備える。ディスプレイ用筐体の表面には液晶ディスプレイ（ＬＣＤ）パネルが組み込まれる。ディスプレイ用筐体の裏面にはサブＬＣＤが組み込まれる。サブＬＣＤは、ディスプレイ用筐体の背面に形成される小窓に表示画面を露出させる。サブＬＣＤの表示画面には例えば時刻や着信、メールの受信といった情報が表示される。
【特許文献１】特開２００２−７７３３９号公報
【発明の開示】
【発明が解決しようとする課題】
【０００３】
多彩なイルミネーションの実現にあたってディスプレイ用筐体に複数の発光ダイオード（ＬＥＤ）が搭載される。ＬＥＤは、例えばディスプレイ用筐体の背面に区画される小開口から光を漏れ出させる。加えて、ディスプレイ用筐体にはサブＬＣＤ用のＬＥＤが組み込まれる。こうした多数のＬＥＤの搭載にあたってディスプレイ用筐体内には大きな収容空間が必要とされる。しかも、ディスプレイ用筐体の製造コストは嵩む。
【０００４】
本発明は、上記実状に鑑みてなされたもので、多彩なイルミネーションを実現しつつ部品の数を削減することができる電子機器用筐体アセンブリおよび電子機器を提供することを目的とする。
【課題を解決するための手段】
【０００５】
上記目的を達成するために、電子機器用筐体アセンブリは、第１筐体と、前記第１筐体に組み込まれて、前記第１筐体の外部空間に向かって光を出力する光源と、前記第１筐体に連結される第２筐体と、前記第２筐体に形成される窓孔と、前記第２筐体に組み込まれて、前記窓孔に画面を向き合わせる液晶ディスプレイパネルと、前記第２筐体に組み込まれて、背後から液晶ディスプレイパネルの画面を照らす第１導光板と、前記第２筐体に組み込まれて、前記光源から出力される光を前記第１導光板に導く第２導光板とを備えることを特徴とする。
【０００６】
こうした電子機器用筐体アセンブリでは、光源から出力される光は第１筐体の外部空間に向かって漏れ出る。こうして第１筐体で多彩なイルミネーションが実現される。漏れ出た光は第２導光板に入射する。第２導光板は第１導光板に光を導く。第１導光板は背後から液晶ディスプレイパネルの画面を照らす。こうして第１筐体で確立されるイルミネーションの光が液晶ディスプレイパネルの画面に利用される。電子機器用筐体アセンブリでは部品の数は削減される。こうした電子機器用筐体アセンブリでは、第１導光板は第２導光板に一体化される。部品の数は一層削減される。
【発明の効果】
【０００７】
以上のように、電子機器用筐体アセンブリおよび電子機器は多彩なイルミネーションを実現しつつ部品の数を削減することができる。
【発明を実施するための最良の形態】
【０００８】
以下、添付図面を参照しつつ本発明の一実施形態を説明する。
【０００９】
図１は本発明に係る電子機器の一具体例すなわち折り畳み式携帯電話端末１１を概略的に示す。この携帯電話端末１１は電話本体１２とディスプレイ装置１３とを備える。電話本体１２は本体筐体１４を備える。本体筐体１４は例えばＡＢＳといった強化樹脂材料から成形される。本体筐体１４にはプリント基板が組み込まれる。周知の通り、プリント基板には例えばＣＰＵ（中央演算処理装置）やメモリといった処理回路が実装される。その他、本体筐体１４にはいわゆるワンセグチューナーといったテレビ電波チューナーが組み込まれてもよい。
【００１０】
ディスプレイ装置１３はディスプレイ用筐体１５を備える。ディスプレイ用筐体１５は例えばＡＢＳといった強化樹脂材料から成形される。ディスプレイ用筐体１５には液晶ディスプレイ（ＬＣＤ）パネル１６といった平面ディスプレイパネルが組み込まれる。ＬＣＤパネル１６の表示画面は矩形の開口１７に臨む。ＬＣＤパネル１６の表示画面にはＣＰＵの処理動作に応じて様々なテキストやグラフィックスが表示される。その他、前述のワンセグチューナーの働きで表示画面には動画が表示される。
【００１１】
電話本体１２にはオンフックボタンやオフフックボタン、ダイヤルキーといったキーパッド１８が埋め込まれる。キーパッド１８に基づき携帯電話端末１１に情報が入力される。電話本体１２には送話口１９が区画される。送話口１９内にはマイクが組み込まれる。その一方で、ディスプレイ用筐体１５には表示画面の外側で受話口２１が区画される。受話口２１内にはスピーカが埋め込まれる。通話にあたって携帯電話端末１１の使用者はマイクから音声を入力する。スピーカは通話相手の音声を再生する。
【００１２】
ディスプレイ用筐体１５にはヒンジブラケット２２が連結される。ヒンジブラケット２２の表面はディスプレイ用筐体１５の背面を受け止める。ここでは、ディスプレイ用筐体１５は垂直回転軸ＶＸ回りで回転自在にヒンジブラケット２２に連結される。垂直回転軸ＶＸはディスプレイ用筐体１５の表面に直交する。同時に、垂直回転軸ＶＸはヒンジブラケット２２の表面に直交する。
【００１３】
ヒンジブラケット２２は本体筐体１４に連結される。連結にあたってヒンジ２５が利用される。ヒンジ２５は本体筐体１４およびヒンジブラケット２２の間で水平回転軸ＨＸ回りの回転を実現する。水平回転軸ＨＸは本体筐体１４の表側平坦面に平行に延びる。こうしてヒンジブラケット２２すなわちディスプレイ用筐体１５は水平回転軸ＨＸ回りで本体筐体１４に対して回転することができる。
【００１４】
いま、携帯電話端末１１が開き状態を確立すると、電話本体１２およびディスプレイ装置１３はともに正面を向く。ＬＣＤパネル１６では縦置きの電話本体１２に対して縦長の画面が確立される。携帯電話端末１１の使用者はＬＣＤパネル１６の画面を見ながらダイヤルキーといったキーパッド１８を確認することができる。
【００１５】
このとき、ディスプレイ用筐体１５は水平回転軸ＨＸ回りで回転する。回転に応じてディスプレイ用筐体１５表面は本体筐体１４の表側平坦面に重ね合わせられる。その結果、図２に示されるように、携帯電話端末１１は閉じられる。折り畳み状態すなわち閉じ状態が確立される。このとき、ディスプレイ用筐体１５の背面では後述のイルミネーションが実現される。
【００１６】
その一方で、携帯電話端末１１の開き状態でディスプレイ用筐体１５は垂直回転軸ＶＸ回りで回転する。縦長の画面を確立する直立姿勢から時計回りすなわち第１方向に９０度の回転角でディスプレイ用筐体１５が回転すると、図３に示されるように、第１回転姿勢が確立される。このとき、ＬＣＤパネル１６は横長の画面を実現する。第１回転姿勢の確立に応じて例えばワンセグチューナーが起動される。ディスプレイ用筐体１５の背面でイルミネーションが実現される。
【００１７】
反対に、携帯電話端末１１の開き状態でディスプレイ用筐体１５が垂直回転軸ＶＸ回りで直立姿勢から反時計回りすなわち第２方向に９０度の回転角で回転すると、図４に示されるように、第２回転姿勢が確立される。このとき、ＬＣＤパネル１６は横長の画面を実現する。第２回転姿勢の確立に応じて例えばカメラが起動される。ディスプレイ用筐体１５の背面でイルミネーションが実現される。
【００１８】
図５に示されるように、ディスプレイ用筐体１５の背面にはＬＣＤパネル２６が組み込まれる。ＬＣＤパネル２６の表示画面は、ディスプレイ用筐体１５の背面に区画される窓孔２７に臨む。窓孔２７は例えば矩形に規定される。ＬＣＤパネル２６の表示画面にはＣＰＵの処理動作に応じて時刻や着信、電子メールの受信などが表示される。窓孔２７は光透過板２８で塞がれる。光透過板２８は例えばディスプレイ用筐体１５に一体化されればよい。光透過板２８はＬＣＤパネル２６の表示画面に相当する。
【００１９】
ヒンジブラケット２２はブラケット筐体２９を備える。ブラケット筐体２９は例えばＡＢＳといった強化樹脂材料から成型される。ブラケット筐体２９の外端には例えば細長い開口３１が形成される。開口３１は例えばブラケット筐体２９の幅方向にブラケット筐体２９の全幅にわたって延びる。開口３１は、ディスプレイ用筐体１５の背面に規定される段差面３３に向き合わせられる。開口３１は光拡散材３２で塞がれる。光拡散材３２は例えば半透明の樹脂材料から形成される。
【００２０】
図６に示されるように、ディスプレイ用筐体１５の内部空間にはプリント基板３５が収容される。プリント基板３５の表面側にはＬＣＤパネル１６が配置される。プリント基板３５の裏面側で前述のＬＣＤパネル２６の背後には第１導光板３６が配置される。第１導光板３６はＬＣＤパネル２６の輪郭と同一の輪郭を有する。第１導光板３６は全面にわたって均一な厚みを有する。第１導光板３６の表面には出射面３７が規定される。第１導光板３６は出射面３７でＬＣＤパネル２６を受け止める。ＬＣＤパネル１６、２６にはプリント基板３５から電力が供給されればよい。
【００２１】
第１導光板３６には第２導光板３８が連続する。第２導光板３８は第１導光板３６の側面に接続される。ここでは、第２導光板３８は第１導光板３６に一体化されればよい。第２導光板３８は、ディスプレイ用筐体１５の段差面３３に規定される開口３９で露出する。開口３９内で第２導光板３８には入射面４１が規定される。入射面４１はブラケット筐体２９の光拡散材３２に向き合わせられる。第２導光板３８は、開口３９内に配置される入射面４１から第１導光板３６に向かうにつれて厚みを増大させる。
【００２２】
ヒンジブラケット２２の内部空間にはフレキシブルプリント基板４２が収容される。図７を併せて参照し、フレキシブルプリント基板４２の表面には複数の光源すなわち発光ダイオード（ＬＥＤ）４３が実装される。ここでは、例えば３つのＬＥＤ４３が等間隔で配置される。各ＬＥＤ４３は光拡散材３２に向き合わせられる。ＬＥＤ４３から出力される光は光拡散材３２で拡散される。拡散された光はディスプレイ用筐体１５の段差面３３に向かって漏れ出る。各ＬＥＤ４３にはフレキシブルプリント基板４２から電力が供給されればよい。
【００２３】
図７から明らかなように、ディスプレイ用筐体１５の段差面３３の開口３９はブラケット筐体２９の外端に沿ってディスプレイ用筐体１５の幅方向に延びる。こうして開口３９内で露出する第２導光板３８の入射面４１には３つのＬＥＤ４３が向き合わせられる。ここでは、第２導光板３８は、開口３９内に規定される入射面４１から第１導光板３６に向かうにつれて先細ればよい。入射面４１の反対側の第２導光板３８の端部の幅は第１導光板３６の幅に等しく設定される。なお、ディスプレイ用筐体１５、ブラケット筐体２９、ＬＣＤパネル２６、第１導光板３６、第２導光板３８およびＬＥＤ４３は本発明に係る電子機器用筐体アセンブリを構成する。
【００２４】
いま、例えば閉じ状態の携帯電話端末１１でＬＥＤ４３が発光すると、図８に示されるように、光拡散材３２の働きでブラケット筐体２９の外端からディスプレイ用筐体１５の段差面３３に向かって光が漏れ出る。漏れ出た光は入射面４１から第２導光板３８に入射する。光は第２導光板３８の直交断面全体に広がりつつ伝播する。こうして光は第１導光板３６に導かれる。光は第１導光板３６の直交断面全体に広がりつつ伝播する。こうして第１導光板３６は背後からＬＣＤパネル２６の表示画面を照らす。窓孔２７内ではＬＣＤパネル２６の表示画面に各種の情報が映し出される。このとき、ＬＥＤ４３は点滅してもよい。
【００２５】
例えば図９に示されるように、開き状態の携帯電話端末１１でディスプレイ用筐体１５が第１回転姿勢を確立すると、ＬＥＤ４３の発光に基づき光拡散材３２からブラケット筐体２９の外側に光は漏れ出る。同様に、例えば図１０に示されるように、開き状態の携帯電話端末１１でディスプレイ用筐体１５が第２回転姿勢を確立すると、ＬＥＤ４３の発光に基づきブラケット筐体２９の外側に光は漏れ出る。こうした第１および第２回転姿勢では、例えばＬＥＤ４３の点滅に基づき多彩なイルミネーションが実現される。このとき、窓孔２７内ではＬＣＤパネル２６の表示画面には情報は映し出されない。
【００２６】
以上のような携帯電話端末１１では、ＬＥＤ４３の発光に基づきブラケット筐体２９の外端では光拡散材３２から光が漏れ出る。こうしてディスプレイ用筐体１５の背面で多彩なイルミネーションが実現される。同時に、光拡散材３２から漏れ出る光は第１導光板３６および第２導光板３８に基づきＬＣＤパネル２６の表示画面を照らす。こうしてブラケット筐体２９の外端で確立されるイルミネーションの光がＬＣＤパネル２６の表示画面に利用される。携帯電話端末１１では部品の数は削減されることができる。
【図面の簡単な説明】
【００２７】
【図１】本発明に係る電子機器の一具体例すなわち携帯電話端末の外観を概略的に示す斜視図である。
【図２】閉じ状態の携帯電話端末の外観を概略的に示す平面図である。
【図３】第１回転姿勢の携帯電話端末の外観を概略的に示す平面図である。
【図４】第２回転姿勢の携帯電話端末の外観を概略的に示す平面図である。
【図５】閉じ状態の携帯電話端末の構造を概略的に示す斜視図である。
【図６】図５の６−６線に沿った断面図である。
【図７】図６の７−７線に沿った断面図である。
【図８】図７に対応し、閉じ状態の携帯電話端末で発光ダイオードが発光した様子を概略的に示す断面図である。
【図９】第１回転姿勢の携帯電話端末で発光ダイオードが発光した様子を概略的に示す断面図である。
【図１０】第２回転姿勢の携帯電話端末で発光ダイオードが発光した様子を概略的に示す断面図である。
【符号の説明】
【００２８】
１１  電子機器（携帯電話端末）、１５  第２筐体（ディスプレイ用筐体）、２７  窓孔、２９  第１筐体（ブラケット筐体）、２６  液晶ディスプレイパネル、３６  第１導光板、３８  第２導光板、４３  光源（発光ダイオード）。
【図１】
2009231910.tif 000003
【図２】
2009231910.tif 000004
【図３】
2009231910.tif 000005
【図４】
2009231910.tif 000006
【図５】
2009231910.tif 000007
【図６】
2009231910.tif 000008
【図７】
2009231910.tif 000009
【図８】
2009231910.tif 000010
【図９】
2009231910.tif 000011
【図１０】
2009231910.tif 000012